(57)【要約】【課題】損紙又は古紙として排出される印画紙の再利用を図ると共に、ゼラチン層を有する印画紙を排液吸収材の適性材として有効活用した排液吸収材を提供する。【解決手段】古紙又は損紙を主材とする排泄物又は嘔吐物又は食品雑廃又は病理廃棄物用の排液吸収材であって、該古紙又は損紙として保護ゼラチン層５を有する印画紙１の破砕紙片６を主材として用いる。この排液吸収材は各種配合材を配合した破砕紙片６をそのまま排液吸収材として用いるか、又は粗粒状体やチップ片に成形して用いる。【選択図】        図３
2006000782.tif 000002
【特許請求の範囲】
【請求項１】
古紙又は損紙を主材とする排泄物又は嘔吐物又は食品雑廃又は病理廃棄物用の排液吸収材であって、該古紙又は損紙として保護ゼラチン層を有する印画紙の破砕紙片を主材として用いたことを特徴とする排液吸収材。
【発明の詳細な説明】
【技術分野】
【０００１】
本発明は古紙又は損紙を主材とする排泄物又は嘔吐物又は食品雑廃又は病理廃棄物用の排液吸収材に関する。
【背景技術】
【０００２】
従来より製紙用の木材パルプを造粒した動物の排泄物処理材等が周知であるが、廃材利用、省資源の見地から、使用済みの食品容器等の包装箱を回収し、その破砕紙片を原料とする排泄物又は嘔吐物又は食品雑廃又は病理廃棄物用の排液吸収材が提供されている（特許文献１）。
【０００３】
これら包装箱は樹脂コートした板紙から成り、その破砕紙片に残留せる樹脂コート層により、排液吸収材に誘水効果と保水効果を付加し、排液吸収材としての適性向上を図らんとするものである。
【０００４】
他方特許文献２に示すように、上記排液吸収材の配合材としてゼラチンを用いることが知られている。
【特許文献１】特開２００２−３５５６６０号公報
【特許文献２】特開２００２−２２３６５４号公報
【発明の開示】
【発明が解決しようとする課題】
【０００５】
本発明は印画紙の構造、殊に印画紙が木材パルプから成る原紙を基材とし、感光乳剤層の表面に保護ゼラチン層を有する構造に着目し、これを排液吸収材の主材として活用する。併せて上記包装箱と同様、廃材利用、省資源の目的に資せんとするものである。
【０００６】
印画紙は原紙とバライタ層と感光乳剤層と保護ゼラチン層の四層構造を有し、原紙はバージンパルプから成る良質の紙が用いられ、高い白色度を有する。
【０００７】
他方印画紙は印画紙製造工場から損紙として多量に排出されるが、上記保護ゼラチン層を有するために、再生紙の原料として使用し難く、その殆どが焼却処分されているのが実情である。
【課題を解決するための手段】
【０００８】
本発明は上記排泄物又は嘔吐物又は食品雑廃又は病理廃棄物用の排液吸収材の原料として、上記古紙又は損紙、殊に適性材として上記保護ゼラチン層を有する印画紙の破砕紙片を適用した排液吸収材を提供するものである。
【０００９】
前記のように、印画紙は保護ゼラチン層を有し、その破砕紙片を排液吸収材の主材として用いることにより、印画紙の基材である原紙に付帯したゼラチンをその破砕紙片に付帯した状態で、排液吸収材の成分として自然に取り込むことができる。
【００１０】
加えてゼラチン成分を偏在させることなく、吸収材中に均一に分散した配合状態で取り込むことができる。
【００１１】
又印画紙の原紙は前記の通り、バージンパルプを用いた良質な紙であり、高い白色度を有し、この特徴をそのまま排液吸収材に取り込める。即ちパルプ繊維が健全で繊維長が充分に長く、排液吸収材に良好な液体吸収性能をもたらすと共に、排液吸収材の高い白色度を確保し、商品効果を高める。
【発明を実施するための最良の形態】
【００１２】
以下本発明を実施するための最良の形態を図１乃至図５に基づき説明する。
【００１３】
印画紙製造工場においては、プリント前のバージン印画紙が古紙又は損紙として多量に排出される。この印画紙１は図１に示すように、原紙２の表面にバライタ層３を有するバライタ紙を基紙とし、該バライタ層３の表面に感光乳剤層４を有し、該感光乳剤層４の表面を保護ゼラチン層５で覆った構造を有し、原紙２はバージンパルプから成る良質の紙が用いられ、高い白色度を有する。
【００１４】
上記工場から回収した長尺の印画紙１を所定の大きさ（１５ｃｍ〜３０ｃｍ程度）の大きさに予備断裁し、該予備断裁印画紙１を破砕機にかけ、破砕紙片６、好ましい例示として図２に示すように、４ｍｍ〜８ｍｍ程度の大きさを有する破砕紙片６を製造する。この破砕紙片６は鋭利な刃物を用いて上記大きさにシャーカットした断裁紙片である。
【００１５】
好ましくは印画紙１に引き裂き力を与え、細かく裂断した裂断紙片を用いる。この裂断紙片はその周縁部に、印画紙１の原紙２の引き裂きによって形成された箔片部７を有し、更にこの箔片部７の周縁部にパルプ繊維８が髭状に表出された構造を有する。この箔片部７とパルプ繊維８が吸水性能の向上に寄与する。
【００１６】
上記印画紙１を構成する原紙２は多層抄き紙であり、上記箔片部７はこの多層抄き紙の形成層の一部が引き剥がされて形成された薄層である。
【００１７】
図３に示すように、上記破砕紙片６は原紙２とバライタ層３と感光乳剤層４と保護ゼラチン層５の四層構造であり、印画紙によっては原紙２のバライタ層３、感光乳剤層４、保護ゼラチン層５を形成した表面とは反対側の表面に透明ポリエチレン層を有し、この印画紙を用いた場合、上記破砕紙片６はこのポリエチレン層を有する。上記保護ゼラチン層５は破砕紙片６の最外層に配置される。
【００１８】
図２に示すように、上記印画紙１を裂断し破砕紙片（裂断紙片）６を形成する手段として、例えば４ｍｍ〜８ｍｍ程度のメッシュ度を有する円筒形のスクリーン９の上部供給口１０から印画紙１を連続的に供給し、上記スクリーン９の内面に沿って連結棒１３の先端に設けられたハンマークラッシャー１１を連結棒１３と共に回転させ、上記印画紙１をスクリーン９内面とハンマークラッシャー１１との間で摺擦し、引き裂くように破砕する。
【００１９】
この時、スクリーン９に破砕歯１２を固定して設け、この破砕歯１２とハンマークラッシャー１１との間で上記印画紙１を引きちぎるように破砕し上記破砕紙片６を形成することができる。
【００２０】
何れにしても固定歯と可動歯間に僅かな間隙を設け、所定の厚みを有する印画紙１に作用させ、引き裂き力を与え裂断する。斯くしてスクリーン９の網目を通過した４ｍｍ〜８ｍｍの不定形の破砕紙片６を得る。
【００２１】
上記印画紙１の破砕紙片６はその集合体をそのまま排液吸収材として用いる。例えば排泄物又は嘔吐物又は病理廃棄物又は食品雑廃の表面を上記破砕紙片６の集合体で覆うように散布し、液分を吸収せしめる。
【００２２】
又は破砕紙片６の集合体を層状に敷設し、その上に排泄物又は嘔吐物又は病理廃棄物又は食品雑廃を受け、液分を吸収せしめる。
【００２３】
ゼラチン５は排泄物又は嘔吐物又は病理廃棄物又は食品雑廃の液分を吸収してゼリー状になり、粘弾性を発揮して隣接する排液吸収材（破砕紙片６）との粘着力を発揮して塊状の状態を形成し、廃棄・交換を容易にする。
【００２４】
又ゼラチン５は液分を吸収し膨潤する特徴を有し、液分の吸収性能を向上する。
【００２５】
又ゼラチン５の被膜はガスバリア性が高く、異臭を封じ込める特徴を有し、排液吸収材としての適性を高める。
【００２６】
次に図４に示すように、上記破砕紙片６の集合体、又は後記するその他の配合材を混合した破砕紙片６の集合材を粒度４ｍｍ〜１５ｍｍの粗粒状に造粒し、粗粒状排液吸収材１４を構成することができる。
【００２７】
上記粗粒状排液吸収材１４は容器に敷設又は収納し、その上面に愛玩動物の排泄物を受け、排泄物の水分を吸収せしめる。該粗粒状排液吸収材１４は病理廃棄物又は食品雑廃においても同様の用法を採ることができる。
【００２８】
上記粗粒状排液吸収材１４（愛玩動物用である場合には粗粒状排泄物吸収材１４）は、上記印画紙１の破砕紙片６の集合体にその他の配合材を加え、貧加水して混練し、造粒機にかけ圧縮造粒する。ゼラチン５は加水によってゼラチン５を溶かしゼリー状になり、造粒機のダイスからの押し出しを良好にし、造粒性能を著しく向上し美麗な粗粒状体を成形できる。
【００２９】
又印画紙１を構成するゼラチン５は上記加水によってゼリー状になり、乾燥によって粗粒状排液吸収材１４を粒体形状に保形する固形材として機能する。
【００３０】
又粗粒状排液吸収材１４は乾燥して市場に供給されるが、排泄物又は嘔吐物又は病理廃棄物又は食品雑廃の液分を吸収して粘弾状に回復し、同粒状形状の過度の崩壊を防止し、隣接する粗粒状排液吸収材１４との粘着力を発揮して塊状の状態を形成し、廃棄・交換を容易にする。
【００３１】
又ゼラチン５は液分を吸収し膨潤する特徴を有し、液分の吸収性能を向上する。
【００３２】
又ゼラチン５の被膜はガスバリア性が高く、異臭を封じ込める特徴を有し、排液吸収材としての適性を高める。
【００３３】
上記の通り、愛玩動物等の排泄物吸収材、又は人間の嘔吐物の吸収材、又は食品雑廃の吸収材、又は手術によって摘出された病理廃棄物用の吸収材の適性材として、上記保護ゼラチン層５を有する印画紙１の破砕紙片６を適用したものである。
【００３４】
印画紙１の破砕紙片６を排液吸収材の主材として用いることにより、印画紙１の基材である原紙２に付帯したゼラチン５をその破砕紙片６に付帯した状態で、排液吸収材の成分として自然に取り込むことができる。
【００３５】
加えてゼラチン成分を偏在させることなく、破砕紙片６によって吸収材中に均一に分散した配合状態で取り込むことができる。
【００３６】
又印画紙１の原紙２は前記の通り、バージンパルプを用いた良質な紙であり、高い白色度を有し、この特徴をそのまま排液吸収材に取り込める。即ちパルプ繊維８が健全で繊維長が充分に長く、排液吸収材に良好な液体吸収性能をもたらすと共に、排液吸収材の高い白色度を確保し、商品効果を高める。
【００３７】
上記破砕紙片６はその集合体を単独で用いるか、又は上記破砕紙片６と木粉、パルプスラッジ、バージンパルプの一種又は二種以上を混合して用いる。
【００３８】
又は上記破砕紙片６の集合体に吸水性ポリマー又は澱粉又はＣＭＣ（カルボキシメチルセルロース）等の凝固剤（粉末）を混合して用いる。
【００３９】
又は上記破砕紙片６の集合体に木粉、パルプスラッジ、バージンパルプの一種又は二種以上を混合し、該混合材に吸水性ポリマー又は澱粉又はＣＭＣ（カルボキシメチルセルロース）等の一種又は二種以上の凝固剤（粉末）を混合して用いる。
パルプスラッジ又はバージンパルプ又は木粉は１ｍｍ以下の微細繊維を多く含み、この微細繊維が上記破砕紙片６間の比較的粗なる空隙を埋め、高密度で吸水保持効果が高い処理材を提供できる。
【００４０】
又破砕紙片６内又は破砕紙片６と上記凝固剤、木粉、パルプスラッジ、バージンパルプの一種又は二種以上を混合した混合材内に脱臭剤、芳香剤を混合し用いることができる。
【００４１】
又破砕紙片６内又は上記混合材内に、増量材及び重量付加材として炭酸カルシウム、タルク、クレーに代表される無機充填剤（粉体）を混合することができる。
【００４２】
上記各種配合材を配合した破砕紙片６をそのまま排液吸収材として用いるか、又は粒状やチップ状に成形して排液吸収材を構成する。以下、排液吸収材の代表的な配合例を重量比を以って示す。
【実施例１】
【００４３】
破砕紙片                                            ７０％〜９９％
吸水性ポリマー又は澱粉又はＣＭＣ                      １％〜３０％
【実施例２】
【００４４】
破砕紙片                                            ５１％〜９８％
吸水性ポリマー又は澱粉又はＣＭＣ                      １％〜３０％
パルプ（パルプスラッジ又はバージンパルプ）又は木粉    １％〜４８％
【実施例３】
【００４５】
破砕紙片                                            ５１％〜９７％
吸水性ポリマー又は澱粉又はＣＭＣ                      １％〜３０％
パルプ（パルプスラッジ又はバージンパルプ）又は木粉    １％〜４７％
無機充填材                                            １％〜４７％
【００４６】
前記の通り、上記実施例１乃至３の混合材はそのままの混合状態で排液吸収材として用いるか、又は同混合材を粒状又はチップ状にして用いるが、上記無機充填材は粗粒状体の飛散を防止する重量付加材として不可欠である。
【００４７】
図４に示す粗粒状体中に配合される木粉、パルプスラッジ、バージンパルプ、凝固剤（吸水性ポリマー又は澱粉又はＣＭＣ）、無機充填剤を総称して配合材１６として示す。これら配合材１６は圧縮造粒によって圧縮された破砕紙片６間の空隙を埋める状態で配在され、破砕紙片６のゼラチン層５と協働する。
【００４８】
図５は上記印画紙１の破砕紙片６を原料とし造粒した図４に示す粗粒状体を核とし、該核の周面を速吸液性を有する比較的密度の粗なる被覆層１５を形成した粗粒状排液吸収材１４を示している。
【００４９】
上記被覆層１５は古紙又は損紙を粉状に粉砕した紙紛（この紙紛は２ｍｍ以下の粒度を有する）を主材とし、これに吸水性ポリマー又は澱粉又はＣＭＣの一種又は二種以上を配合し、核の周面にまぶし付けしたものであり、排泄物の水分を瞬間的に吸収し、核への吸収を助け、周辺への流出を防止する。
【００５０】
つまり印画紙１の破砕紙片６を主材とした核を形成し、該核の周面を印画紙以外の印刷用紙等の紙紛を主材とした被覆層１５を形成し、相乗効果を発揮せしめる。
【図面の簡単な説明】
【００５１】
【図１】印画紙の断面構造を示す拡大図。
【図２】破砕機を例示する断面図。
【図３】Ａは印画紙を破砕して得られる破砕紙片の平面図、Ｂは同断面図。
【図４】上記印画紙の破砕紙片を原料とし造粒した粗粒状排液吸収材の断面図。
【図５】上記印画紙の破砕紙片を原料とし造粒した粗粒状排液吸収材に速吸液性を有する被覆層を形成した場合の断面図。
【符号の説明】
【００５２】
１…印画紙、２…原紙、３…バライタ層、４…感光乳剤層、５…保護ゼラチン層、ゼラチン、６…破砕紙片、７…箔片部、８…パルプ繊維、９…スクリーン、１０…上部供給口、１１…ハンマークラッシャー、１２…破砕歯、１３…連結棒、１４…粗粒状排液吸収材、１５…被覆層、１６…配合材
【図１】
2006000782.tif 000003
【図２】
2006000782.tif 000004
【図３】
2006000782.tif 000005
【図４】
2006000782.tif 000006
【図５】
2006000782.tif 000007